【手続補正書】
【提出日】令和3年2月24日(2021.2.24)
【手続補正１】
【補正対象書類名】特許請求の範囲
【補正対象項目名】全文
【補正方法】変更
【補正の内容】
【特許請求の範囲】
【請求項１】
電解試薬濃縮器装置（３００）であって、
試薬イオン源チャネル（３１０）と、
対イオン源チャネル（３２０）と、
再生剤濃縮チャネル（３３０）と、
第１の電荷を有し、かつ、前記第１の電荷とは異極性の電荷を有する少なくとも試薬イオンに透過性であるが、前記第１の電荷と同極性の電荷を有する他のイオンに透過性でない第１のイオン交換バリア（３４０）であって、前記試薬イオン源チャネル（３１０）と前記再生剤濃縮チャネル（３３０）との間の液体のバルクフローをブロックすることにより前記再生剤濃縮チャネル（３３０）から前記試薬イオン源チャネル（３１０）を分離する、第１のイオン交換バリア（３４０）と、
前記第１の電荷とは異極性の第２の電荷を有し、かつ、少なくとも前記第２の電荷とは異極性の電荷を有する電解生成対イオンに透過性であるが、前記第２の電荷と同極性の電荷を有する他のイオンに透過性でない第２のイオン交換バリア（３５０）であって、前記対イオン源チャネル（３２０）と前記再生剤濃縮チャネル（３３０）との間の液体のバルクフローをブロックすることにより前記再生剤濃縮チャネル（３３０）から前記対イオン源チャネル（３２０）を分離する、第２のイオン交換バリア（３５０）と、
前記試薬イオン源チャネル（３１０）と電気通信する電極（３６０）と、
前記対イオン源チャネル（３２０）と電気通信する対電極（３７０）と、
前記試薬イオン源チャネル（３１０）内への前記試薬イオンを含む液体の流量と比較して、前記再生剤濃縮チャネル（３３０）内への液体の流量を制限するための流量制御装置（３８０）と、を備え
前記電極（３６０）、前記試薬イオン源チャネル（３１０）、前記再生剤濃縮チャネル（３３０）、前記対イオン源チャネル（３２０）、及び、前記対電極（３７０）は、電解電位または電解電流の印加時に、試薬イオンを前記試薬イオン源チャネル（３１０）から、かつ電解生成対イオンを前記対イオン源チャネル（３２０）から、前記再生剤濃縮チャネル（３３０）内に移動させるように電解槽を形成する、電解試薬濃縮器装置（３００）。
【請求項２】
前記流量制御装置（３８０）は、
検出器から検出器流を受容するように構成された第１の入力部と、
前記再生剤濃縮チャネル（３３０）の入力部に連結された第１の出力部と、
前記対イオン源チャネル（３２０）の入力部に連結された第２の出力部と、を含み、
前記流量制御装置は、前記第２の出力部から出力される液体の流量に対して、前記第１の出力部から出力される液体の流量を制限する、請求項１に記載の電解試薬濃縮器装置（３００）。
【請求項３】
前記対イオン源チャネル（３２０）は抑制器（１００）のイオン源再生剤チャネル（１１０）に流体的に相互接続され、
前記抑制器のイオン受容再生剤チャネル（１１２）は前記試薬イオン源チャネル（３１０）に流体的に相互接続されている、請求項２に記載の電解試薬濃縮器装置（３００）。
【請求項４】
前記電極（３６０）は前記試薬イオン源チャネル（３１０）に隣接して配置され、
前記対電極（３７０）は前記対イオン源チャネル（３２０）に隣接して配置されている、請求項１に記載の電解試薬濃縮器装置（３００）。
【請求項５】
前記電極（３６０）は前記試薬イオン源チャネル（３１０）内に配置され、
前記対電極（３７０）は前記対イオン源チャネル（３２０）内に配置されている、請求項１に記載の電解試薬濃縮器装置（３００）。
【請求項６】
前記試薬イオン源チャネル（３１０）、前記対イオン源チャネル（３２０）、及び、前記再生剤濃縮チャネル（３３０）のうちの少なくとも１つの内部に配置されたイオン交換材料と、
前記再生剤濃縮チャネル（３３０）内に配置された中性充填材料と、をさらに備える、請求項１に記載の電解試薬濃縮器装置（３００）。
【請求項７】
ガス除去装置（２００）をさらに備え、前記ガス除去装置は、
溶離剤チャネル（２１０）と、
再生剤チャネル（２２０）と、
前記溶離剤チャネルと前記再生剤チャネルとの間のガスの移動を可能にするように、前記溶離剤チャネル（２１０）を前記再生剤チャネル（２２０）から分離するガス透過性膜と、を含み、
前記再生剤チャネル（２２０）は、前記再生剤濃縮チャネル（３３０）の出力部の下流にあり、前記再生剤濃縮チャネルの出力部と流体的に相互接続され、
前記溶離剤チャネル（２１０）は、前記再生剤濃縮チャネル（３３０）の入力部の上流にあり、前記再生剤濃縮チャネルの入力部と流体的に相互接続されており、
前記溶離剤チャネルは、前記再生剤濃縮チャネル（３３０）内に運ばれる液体が溶離剤液体流の一部であるように、前記流量制御装置の上流にあり、前記流量制御装置に流体的に相互接続されている、請求項１に記載の電解試薬濃縮器装置（３００）。
【請求項８】
イオンクロマトグラフィシステムを操作する方法であって、
前記イオンクロマトグラフィシステムの抑制器（１００）のイオン受容再生剤チャネルから第１の液体流を流すステップであって、前記第１の液体流は少なくとも溶離剤試薬イオン及び水を含有する、流すステップと、
電解試薬濃縮器装置（３００）を得るステップであって、前記電解試薬濃縮器装置が、
試薬イオン源チャネル（３１０）と、
対イオン源チャネル（３２０）と、
再生剤濃縮チャネル（３３０）と、
第１の電荷を有し、かつ、前記第１の電荷とは異極性の電荷を有する少なくとも試薬イオンに透過性であるが、前記第１の電荷と同極性の電荷を有する他のイオンに透過性でない第１のイオン交換バリア（３４０）であって、前記試薬イオン源チャネル（３１０）と前記再生剤濃縮チャネル（３３０）との間の液体のバルクフローをブロックすることにより前記再生剤濃縮チャネル（３３０）から前記試薬イオン源チャネル（３１０）を分離する、第１のイオン交換バリア（３４０）と、
前記第１の電荷とは異極性の第２の電荷を有し、かつ、前記第２の電荷とは異極性の電荷を有する少なくとも電解生成対イオンに透過性であるが、前記第２の電荷と同極性の電荷を有する他のイオンに透過性でない第２のイオン交換バリア（３５０）であって、前記対イオン源チャネル（３２０）と前記再生剤濃縮チャネル（３３０）との間の液体のバルクフローをブロックすることにより前記再生剤濃縮チャネル（３３０）から前記対イオン源チャネル（３２０）を分離する、第２のイオン交換バリア（３５０）と、
前記試薬イオン源チャネル（３１０）と電気通信する電極（３６０）と、
前記対イオン源チャネル（３２０）と電気通信する対電極（３７０）と、を備え、
前記電極（３６０）、前記試薬イオン源チャネル（３１０）、前記再生剤濃縮チャネル（３３０）、前記対イオン源チャネル（３２０）、及び、前記対電極（３７０）が、電解槽を形成する、電解試薬濃縮器装置（３００）を得るステップと、
前記第１の液体流を第１の流量で前記試薬イオン源チャネル（３１０）に流すステップと、
少なくとも水を含有する第２の液体流を第２の流量で前記対イオン源チャネル（３２０）に流すステップと、
少なくとも水を含有する第３の液体流を前記第１の流量未満である第３の流量で前記再生剤濃縮チャネル（３３０）に流すステップと、
前記電極及び前記対電極に電流または電位を印加して、前記溶離剤試薬イオンを前記試薬イオン源チャネル（３１０）から、かつ前記電解生成対イオンを前記対イオン源チャネル（３２０）から、前記再生剤濃縮チャネル（３３０）内に移動させて濃縮再生剤溶液を形成するステップと、を含む方法。
【請求項９】
ガス除去装置（２００）を得るステップであって、前記ガス除去装置が、
ガス除去チャネル（２１０）と、
ガス再生剤チャネル（２２０）と、
前記ガス除去チャネルと前記ガス再生剤チャネルとの間のガスの移動を可能にするように、前記ガス除去チャネル（２１０）を前記ガス再生剤チャネル（２２０）から分離するガス透過性膜と、を含み、前記ガス再生剤チャネルが、前記再生剤濃縮チャネルの下流にあり、前記再生剤濃縮チャネルと流体的に相互接続されている、ガス除去装置（２００）を得るステップと、
前記濃縮再生剤溶液を前記電解試薬濃縮器装置（３００）から前記ガス除去装置（２００）の前記ガス再生剤チャネル（２２０）に流すステップと、をさらに含む、請求項８に記載の方法。
【請求項１０】
前記試薬イオン源チャネル（３１０）内の第１の液体流は、前記再生剤濃縮チャネル（３３０）内の第３の液体流に向流して流れる、請求項８に記載の方法。
【請求項１１】
前記電解試薬濃縮器装置（３００）は、前記試薬イオン源チャネル（３１０）内への第１の液体流の第１の流量と比較して、前記再生剤濃縮チャネル（３３０）内への第３の液体流の第３の流量を制限するための流量制御装置をさらに備え、
前記方法は、
第４の液体流を前記ガス除去チャネル（２１０）から前記流量制御装置（３８０）に流すステップと、
前記流量制御装置を介して、第４の液体流の第１の部分を入力として前記抑制器（１００）のイオン源再生剤チャネルに供給するステップと、
前記流量制御装置（３８０）を介して、前記第４の液体流の第２の部分を前記第３の液体流として前記再生剤濃縮チャネル（３３０）に供給するステップであって、前記第２の部分は、前記第１の部分の流量未満の流量を有する、供給するステップと、をさらに含む、請求項９に記載の方法。
【請求項１２】
前記対イオン源チャネル（３２０）の出力を抑制器装置（１００）のイオン源再生剤チャネル（１１０）に流すステップと、
前記抑制器装置（１００）のイオン源再生剤チャネル（１１０）の出力を前記抑制器装置のイオン受容再生剤チャネル（１１２）に流すステップと、
前記抑制器装置のイオン受容再生剤チャネル（１１２）の出力を前記第１の液体流として前記試薬イオン源チャネル（３１０）に流すステップと、をさらに含む、請求項８に記載の方法。
【請求項１３】
流量比は、前記第１の液体流の流量を前記第３の液体流の流量で割ったものであり、
前記流量比は、約２／１〜約１０００／１の範囲である、請求項８に記載の方法。
【請求項１４】
流量比は、前記第１の液体流の流量を前記第３の液体流の流量で割ったものであり、
前記流量比は、約１０／１〜約３０／１である、請求項８に記載の方法。
【請求項１５】
前記濃縮再生剤溶液が塩基溶液であり、ガス除去装置（２００）が炭酸塩除去装置である、請求項８に記載の方法。
【手続補正２】
【補正対象書類名】明細書
【補正対象項目名】００６１
【補正方法】変更
【補正の内容】
【００６１】
本明細書に示され記載された実施形態は特定の実施形態のみであり、決して限定するものではない。したがって、添付の特許請求の範囲に反映される本発明の精神から逸脱することなく、それらの実施形態に対する様々な変更、修正、または変更を行うことができる。以下に本発明の実施態様を記載する。
（実施態様１）電解試薬濃縮器装置であって、試薬イオン源チャネルと、対イオン源チャネルと、再生剤濃縮チャネルと、
第１の電荷を有し、かつ、前記第１の電荷とは異極性の電荷を有する少なくとも試薬イオンに透過性であるが、前記第１の電荷と同極性の電荷を有する他のイオンに透過性でない第１のイオン交換バリアであって、前記試薬イオン源チャネルと前記再生剤濃縮チャネルとの間の液体のバルクフローをブロックすることにより前記再生剤濃縮チャネルから前記試薬イオン源チャネルを分離する、第１のイオン交換バリアと、
前記第１の電荷とは異極性の第２の電荷を有し、かつ、少なくとも前記第２の電荷とは異極性の電荷を有する電解生成対イオンに透過性であるが、前記第２の電荷と同極性の電荷を有する他のイオンに透過性でない第２のイオン交換バリアであって、前記対イオン源チャネルと前記再生剤濃縮チャネルとの間の液体のバルクフローをブロックすることにより前記再生剤濃縮チャネルから前記対イオン源チャネルを分離する、第２のイオン交換バリアと、
前記試薬イオン源チャネルと電気通信する電極と、
前記対イオン源チャネルと電気通信する対電極と、
前記試薬イオン源チャネル内への前記試薬イオンを含む液体の流量と比較して、前記再生剤濃縮チャネル内への液体の流量を制限するための流量制御装置と、を備え
前記電極、前記試薬イオン源チャネル、前記再生剤濃縮チャネル、前記対イオン源チャネル、及び、前記対電極は、電解電位または電解電流の印加時に、試薬イオンを前記試薬イオン源チャネルから、かつ電解生成対イオンを前記対イオン源チャネルから、前記再生剤濃縮チャネル内に移動させるように電解槽を形成する、電解試薬濃縮器装置。
（実施態様２）前記流量制御装置は、
検出器から検出器流を受容するように構成された第１の入力部と、
前記再生剤濃縮チャネルの入力部に連結された第１の出力部と、
前記対イオン源チャネルの入力部に連結された第２の出力部と、を含み、
前記流量制御装置は、前記第２の出力部から出力される液体の流量に対して、前記第１の出力部から出力される液体の流量を制限する、請求項１に記載の電解試薬濃縮器装置。
（実施態様３）前記対イオン源チャネルは抑制器のイオン源再生剤チャネルに流体的に相互接続され、前記抑制器のイオン受容再生剤チャネルは前記試薬イオン源チャネルに流体的に相互接続されている、請求項２に記載の電解試薬濃縮器装置。
（実施態様４）前記電極は前記試薬イオン源チャネルに隣接して配置され、
前記対電極は前記対イオン源チャネルに隣接して配置されている、実施態様１に記載の電解試薬濃縮器装置。
（実施態様５）前記電極は前記試薬イオン源チャネル内に配置され、前記対電極は前記対イオン源チャネル内に配置されている、実施態様１に記載の電解試薬濃縮器装置。
（実施態様６）前記試薬イオン源チャネル、前記対イオン源チャネル、及び、前記再生剤濃縮チャネルのうちの少なくとも１つの内部に配置されたイオン交換材料をさらに備える、実施態様１に記載の電解試薬濃縮器装置。
（実施態様７）前記再生剤濃縮チャネル内に配置された中性充填材料をさらに備える、実施態様１に記載の電解試薬濃縮器装置。
（実施態様８）ガス除去装置をさらに備え、前記ガス除去装置は、溶離剤チャネルと、再生剤チャネルと、前記溶離剤チャネルと前記再生剤チャネルとの間のガスの移動を可能にするように、前記溶離剤チャネルを前記再生剤チャネルから分離するガス透過性膜と、を含み、
前記再生剤チャネルは、前記再生剤濃縮チャネルの出力部の下流にあり、前記再生剤濃縮チャネルの出力部と流体的に相互接続され、
前記溶離剤チャネルは、前記再生剤濃縮チャネルの入力部の上流にあり、前記再生剤濃縮チャネルの入力部と流体的に相互接続されている、実施態様１に記載の電解濃縮器装置。
（実施態様９）前記溶離剤チャネルは、前記再生剤濃縮チャネル内に運ばれる液体が溶離剤液体流の一部であるように、前記流量制御装置の上流にあり、前記流量制御装置に流体的に相互接続されている、実施態様８に記載の電解試薬濃縮器装置。
（実施態様１０）前記ガス除去装置は、炭酸塩除去装置及びアンモニア除去装置からなる群から選択される装置を含む、実施態様８に記載の電解試薬濃縮器装置。
（実施態様１１）イオンクロマトグラフィのための抑制器−濃縮器装置であって、再生剤チャネルと、溶離剤チャネルと、再生剤濃縮チャネルと、
第１の電荷を有し、かつ、前記第１の電荷とは異極性の電荷を有する少なくとも溶離剤試薬イオンに透過性であるが、前記第１の電荷と同極性の電荷を有する他のイオンに透過性でない第１のイオン交換バリアであって、前記溶離剤チャネルと前記再生剤濃縮チャネルとの間の液体のバルクフローをブロックすることにより前記再生剤濃縮チャネルから前記溶離剤チャネルを分離する、第１のイオン交換バリアと、
前記第１の電荷と同極性の第２の電荷を有し、かつ、少なくとも前記第２の電荷とは異極性の電荷を有する電解生成イオンに透過性であるが、前記第２の電荷と同極性の電荷を有する他のイオンに透過性でない第２のイオン交換バリアであって、前記再生剤チャネルと前記溶離剤チャネルとの間の液体のバルクフローをブロックすることにより前記溶離剤チャネルから前記再生剤チャネルを分離する、第２のイオン交換バリアと、
前記再生剤チャネルと電気通信する電極と、
前記再生剤濃縮チャネルと電気通信する対電極と、
前記溶離剤チャネル内への液体の流量と比較して、前記再生剤濃縮チャネル内への液体の流量を制限するための流量制御装置であって、前記流量制御装置は、前記再生剤濃縮チャネルを通る流量が前記溶離剤チャネルを通る流量未満になるように構成されるように、前記溶離剤チャネルの出力部及び前記再生剤濃縮チャネルの入力部と流体的に相互接続されている、流量制御装置と、を備え、
前記電極、前記再生剤チャネル、前記溶離剤チャネル、前記再生剤濃縮チャネル、及び、前記対電極は、電解電位または電解電流の印加時に、前記溶離剤試薬イオンを前記溶離剤チャネルから前記再生剤濃縮チャネル内に移動させるように電解槽を形成する、イオンクロマトグラフィのための抑制器−濃縮器装置。
（実施態様１２）前記流量制御装置は、
検出器から検出器流を受容するように構成された第１の入力部と、
前記再生剤濃縮チャネルの入力部に連結された第１の出力部と、
前記再生剤チャネルの入力部に連結された第２の出力部と、を含み、
前記流量制御装置は、前記第２の出力部から出力される液体の流量に対して、前記第１の出力部から出力される液体の流量を制限する、実施態様１１に記載の抑制器−濃縮器装置。
（実施態様１３）前記電極は前記再生剤チャネルに隣接して配置され、前記対電極は前記再生剤濃縮チャネルに隣接して配置されている、実施態様１１に記載の抑制器−濃縮器装置。
（実施態様１４）前記電極は前記再生剤チャネル内に配置され、
前記対電極は前記再生剤濃縮チャネル内に配置されている、実施態様１１に記載の抑制器−濃縮器装置。
（実施態様１５）前記再生剤濃縮チャネルに隣接して配置されるガス除去チャネルをさらに備え、前記ガス除去チャネルは、前記ガス除去チャネルを前記再生濃縮剤チャネルから分離するガス透過性膜を有する、実施態様１１に記載の抑制器−濃縮器装置。
（実施態様１６）ガス除去装置をさらに備え、前記ガス除去装置は、ガス除去チャネルと、ガス再生剤チャネルと、
前記ガス除去チャネルと前記ガス再生剤チャネルとの間のガスの移動を可能にするように、前記ガス除去チャネルを前記ガス再生剤チャネルから分離するガス透過性膜と、を含み、
前記再生剤チャネルは、前記再生剤濃縮チャネルの下流にあり、前記再生剤濃縮チャネルと流体的に相互接続され、
前記ガス除去チャネルは、前記溶離剤チャネルの出力部の下流にあり、前記溶離剤チャネルの出力部と流体的に相互接続されている、実施態様１１に記載の抑制器−濃縮器装置。
（実施態様１７）前記再生剤濃縮チャネル内に位置付けられたガス除去チャネルをさらに備え、前記ガス除去チャネルは、前記再生剤濃縮チャネル内に少なくとも部分的に配置されたガス透過性管材によって規定される、実施態様１１に記載の抑制器−濃縮器装置。
（実施態様１８）前記ガス除去チャネルは、前記再生剤濃縮チャネルと隣接関係で位置付けられ、
前記対電極は、前記再生剤濃縮チャネルと電気通信しており、
前記ガス除去チャネルは、前記再生剤濃縮チャネル内に少なくとも部分的に配置された平面的なガス透過性管材によって規定される、実施態様１１に記載の抑制器−濃縮器装置。
（実施態様１９）前記対電極は、多孔質であるか、又は前記対電極を通って延在する複数の開口を備える、実施態様１８に記載の抑制器−濃縮器装置。
（実施態様２０）イオンクロマトグラフィシステムを操作する方法であって、
前記イオンクロマトグラフィシステムの抑制器のイオン受容再生剤チャネルから第１の液体流を流すステップであって、前記第１の液体流は少なくとも溶離剤試薬イオン及び水を含有する、流すステップと、
電解試薬濃縮器装置を得るステップであって、前記電解濃縮器装置が、
試薬イオン源チャネルと、
対イオン源チャネルと、
再生剤濃縮チャネルと、
第１の電荷を有し、かつ、前記第１の電荷とは異極性の電荷を有する少なくとも試薬イオンに透過性であるが、前記第１の電荷と同極性の電荷を有する他のイオンに透過性でない第１のイオン交換バリアであって、前記試薬イオン源チャネルと前記再生剤濃縮チャネルとの間の液体のバルクフローをブロックすることにより前記再生剤濃縮チャネルから前記試薬イオン源チャネルを分離する、第１のイオン交換バリアと、
前記第１の電荷とは異極性の第２の電荷を有し、かつ、前記第２の電荷とは異極性の電荷を有する少なくとも電解生成対イオンに透過性であるが、前記第２の電荷と同極性の電荷を有する他のイオンに透過性でない第２のイオン交換バリアであって、前記対イオン源チャネルと前記再生剤濃縮チャネルとの間の液体のバルクフローをブロックすることにより前記再生剤濃縮チャネルから前記対イオン源チャネルを分離する、第２のイオン交換バリアと、
前記試薬イオン源チャネルと電気通信する電極と、
前記対イオン源チャネルと電気通信する対電極と、を備え、
前記電極、前記試薬イオン源チャネル、前記再生剤濃縮チャネル、前記対イオン源チャネル、及び、前記対電極が、電解槽を形成する、電解試薬濃縮器装置を得るステップと、
前記第１の液体流を第１の流量で前記試薬イオン源チャネルに流すステップと、
少なくとも水を含有する第２の液体流を第２の流量で前記対イオン源チャネルに流すステップと、
少なくとも水を含有する第３の液体流を前記第１の流量未満である第３の流量で前記再生剤濃縮チャネルに流すステップと、
前記電極及び前記対電極に電流または電位を印加して、前記溶離剤試薬イオンを前記試薬イオン源チャネルから、かつ前記電解生成対イオンを前記対イオン源チャネルから、前記再生剤濃縮チャネル内に移動させて濃縮再生剤溶液を形成するステップと、を含む方法。
（実施態様２１）ガス除去装置を得るステップであって、前記ガス除去装置が、ガス除去チャネルと、ガス再生剤チャネルと、前記ガス除去チャネルと前記ガス再生剤チャネルとの間のガスの移動を可能にするように、前記ガス除去チャネルを前記ガス再生剤チャネルから分離するガス透過性膜と、を含み、前記再生剤チャネルが、前記再生剤濃縮チャネルの下流にあり、前記再生剤濃縮チャネルと流体的に相互接続されている、ガス除去装置を得るステップと、
前記濃縮再生剤溶液を前記電解試薬濃縮器装置から前記ガス除去装置の前記ガス再生剤チャネルに流すステップと、をさらに含む、実施態様２０に記載の方法。
（実施態様２２）前記試薬イオン源チャネル内の第１の液体流は、前記再生剤濃縮チャネル内の第３の液体流に向流して流れる、実施態様２０に記載の方法。
（実施態様２３）前記電極及び対電極に印加される電流は所定のレベルである、実施態様２０に記載の方法。
（実施態様２４）前記電解試薬濃縮器装置は、前記試薬イオン源チャネル内への第１の液体流の第１の流量と比較して、前記再生剤濃縮チャネル内への第３の液体流の第３の流量を制限するための流量制御装置をさらに備え、
前記方法は、
第４の液体流を前記ガス除去チャネルから前記流量制御装置に流すステップと、
前記流量制御装置を介して、第４の液体流の第１の部分を入力として前記抑制器のイオン源再生剤チャネルに供給するステップと、
前記流量制御装置を介して、前記第４の液体流の第２の部分を前記第３の液体流として前記再生剤濃縮チャネルに供給するステップであって、前記第２の部分は、前記第１の部分の流量未満の流量を有する、供給するステップと、をさらに含む、実施態様２１に記載の方法。
（実施態様２５）前記対イオン源チャネルの出力を抑制器装置のイオン源再生剤チャネルに流すステップと、
前記抑制器装置のイオン源再生剤チャネルの出力を前記抑制器装置のイオン受容再生剤チャネルに流すステップと、
前記抑制器装置のイオン受容再生剤チャネルの出力を前記第１の液体流として前記試薬イオン源チャネルに流すステップと、をさらに含む、実施態様２４に記載の方法。
（実施態様２６）流量比は、前記第１の液体流の流量を前記第３の液体流の流量で割ったものであり、前記流量比は、約２／１〜約１０００／１の範囲である、実施態様２０に記載の方法。
（実施態様２７）流量比は、前記第１の液体流の流量を前記第３の液体流の流量で割ったものであり、
前記流量比は、約２／１〜約２００／１である、実施態様２０に記載の方法。
（実施態様２８）流量比は、前記第１の液体流の流量を前記第３の液体流の流量で割ったものであり、
前記流量比は、約１０／１〜約３０／１である、実施態様２０に記載の方法。
（実施態様２９）前記濃縮再生剤溶液が塩基溶液であり、前記ガス除去装置が炭酸塩除去装置である、実施態様２０に記載の方法。
（実施態様３０）前記濃縮再生剤溶液が酸溶液であり、前記ガス除去装置がアンモニア除去装置である、実施態様２０に記載の方法。
（実施態様３１）イオンクロマトグラフィシステムを操作する方法であって、
前記イオンクロマトグラフィシステムのイオン検出器セルから少なくとも水を含有する第１の液体流を流すステップと、
抑制器−濃縮器装置を得るステップであって、前記抑制器−濃縮器装置が、
再生剤チャネルと、
溶離剤チャネルと、
再生剤濃縮チャネルと、
第１の電荷を有し、かつ、前記第１の電荷とは異極性の電荷を有する少なくとも溶離剤試薬イオンに透過性であるが、前記第１の電荷と同極性の電荷を有する他のイオンに透過性でない第１のイオン交換バリアであって、前記溶離剤チャネルと前記再生剤濃縮チャネルとの間の液体のバルクフローをブロックすることにより前記再生剤濃縮チャネルから前記溶離剤チャネルを分離する、第１のイオン交換バリアと、
前記第１の電荷と同極性の第２の電荷を有し、かつ、前記第２の電荷とは異極性の電荷を有する少なくとも電解生成イオンに透過性であるが、前記第２の電荷と同極性の電荷を有する他のイオンに透過性でない第２のイオン交換バリアであって、前記再生剤チャネルと前記溶離剤チャネルとの間の液体のバルクフローをブロックすることにより前記溶離剤チャネルから前記再生剤チャネルを分離する、第２のイオン交換バリアと、
前記再生剤チャネルと電気通信する電極と、
前記再生剤濃縮チャネルと電気通信する対電極と、を備える、抑制器−濃縮器装置を得るステップと、
第１の液体流を第１の流量で前記再生剤チャネルに流すステップと、
溶離剤を第２の流量で第２の液体流として前記イオンクロマトグラフィシステムの分離カラムから前記溶離剤チャネルに流すステップと、
少なくとも水を含有する第３の液体流を前記第２の流量未満である第３の流量で前記再生剤濃縮チャネルに流すステップと、
前記電極及び前記対電極に電流または電位を印加して、前記溶離剤試薬イオンを前記溶離剤チャネルから前記再生剤濃縮チャネルに移動させ、かつ対イオンを前記再生剤濃縮チャネル内に電解生成させて、濃縮再生剤溶液を形成するステップと、を含む、方法。
（実施態様３２）ガス除去装置を得るステップであって、前記ガス除去装置は、
ガス除去チャネルと、
ガス再生剤チャネルと、
前記ガス除去チャネルと前記ガス再生剤チャネルとの間のガスの移動を可能にするように、前記ガス除去チャネルを前記ガス再生剤チャネルから分離するガス透過性膜と、を含み、前記ガス再生剤チャネルは、前記再生剤濃縮チャネルの下流にあり、前記再生剤濃縮チャネルと流体的に相互接続される、ガス除去装置を得るステップと、
前記濃縮再生剤溶液を前記抑制器−濃縮器装置から入力として前記ガス除去装置のガス再生剤チャネルに流すステップと、をさらに含む、実施態様３１に記載の方法。
（実施態様３３）前記抑制器−濃縮器装置は、前記溶離剤チャネル内への液体の流量と比較して、前記再生剤濃縮チャネル内への液体の流量を制限するための流量制御装置であって、前記流量制御装置は、前記再生剤濃縮チャネルを通る流量が、前記溶離剤チャネルを通る流量未満になるように構成されるように、前記溶離剤チャネルの出力部及び前記再生剤濃縮チャネルの入力部と相互接続されている、流量制御装置をさらに備え、
前記方法は、
前記流量制御装置を介して、前記第１の液体流として第１の部分を前記再生剤チャネルに供給するステップと、
前記流量制御装置を介して、前記第３の液体流として第２の部分を前記再生剤濃縮チャネルに供給するステップであって、前記第２の部分は、前記溶離剤チャネル内への液体の流量未満の流量を有する、供給するステップと、をさらに含む、実施態様３１に記載の方法。
（実施態様３４）前記電極、前記再生剤チャネル、前記溶離剤チャネル、前記再生剤濃縮チャネル、及び、前記対電極は、電解電位または電解電流の印加時に、前記溶離剤試薬イオンを前記溶離剤チャネルから前記再生剤濃縮チャネル内に移動させるように電解槽を形成する、実施態様３１に記載の方法。
（実施態様３５）流量比は、前記第２の液体流の流量を前記第３の液体流の流量で割ったものであり、前記流量比は、約２／１〜約１０００／１の範囲である、実施態様３１に記載の方法。
（実施態様３６）流量比は、前記第２の液体流の流量を前記第３の液体流の流量で割ったものであり、前記流量比は、約２／１〜約２００／１である、実施態様３１に記載の方法。
（実施態様３７）流量比は、前記第２の液体流の流量を前記第３の液体流の流量で割ったものであり、前記流量比は、約１０／１〜約３０／１である、実施態様３１に記載の方法。
（実施態様３８）イオンクロマトグラフィシステムを操作する方法であって、前記方法は、電解試薬濃縮器装置を提供するステップであって、前記電解試薬濃縮器装置が、
第１のチャネルと、
第２のチャネルと、
中央チャネルと、
第１の電荷を有し、かつ、前記第１の電荷とは反対の電荷を有するイオンに透過性であるが、前記第１の電荷と同極性の電荷を有する他のイオンに透過性でなく、液体のバルクフローを許容せず、前記中央チャネルから前記第１のチャネルを分離する、第１のイオン交換バリアと、
第２の電荷を有し、かつ、前記第２の電荷とは反対の電荷を有するイオンに透過性であるが、前記第２の電荷と同極性を有するイオンに透過性でなく、液体のバルクフローを許容せず、前記中央チャネルから前記第１のチャネルを分離する、第２のイオン交換バリアと、
第１のチャネル内に配置された第１の電極と、
第１のチャネル内に配置された第２の電極と、を備える、電解試薬濃縮器装置を提供するステップと、
ガス除去装置を提供するステップであって、前記ガス除去装置が、
ガス除去チャネルと、
ガス再生剤チャネルと、
前記ガス除去チャネルと前記ガス再生剤チャネルとの間のガスの移動を可能にするように、前記ガス除去チャネルを前記ガス再生剤チャネルから分離するガス透過性膜と、を備える、ガス除去装置を提供するステップと、
前記第１の電極と前記第２の電極との間に電流または電位を印加して、前記第１の電極に正電荷をもたらし、前記第２の電極に負電荷をもたらすステップと、
荷電した検体を溶離剤と共にクロマトグラフィカラム及び検出器を通して流すステップと、
前記溶離剤の少なくとも一部を第１の流量で前記検出器から前記中央チャネルに流すステップと、
第１の液体流を第２の流量で前記第１のチャネル及び前記第２のチャネルからなる群から選択されるチャネルに流すステップと、を含み、
第１の流量の溶離剤が、荷電した検体と同じ電荷を有する前記第１の電極及び前記第２の電極のうちの一方の近傍にある場合、前記第１の流量は前記第２の流量よりも低く、ここで、前記溶離剤が荷電した検体と同じ電極を有するチャネル内にある場合、または前記溶離剤が荷電した検体と同じ電極を有するチャネルに隣接するチャネル内にある場合、前記溶離剤は近傍にあり、
第２の流量の第１の液体流が、荷電した検体と同じ電荷を有する前記第１の電極及び第２の電極のうちの一方の近傍にある場合、前記第２の流量は前記第１の流量よりも低く、ここで、前記第１の液体流が荷電した検体と同じ電極を有するチャネル内にある場合、または前記第１の液体流が荷電した検体と同じ電極を有するチャネルに隣接するチャネル内にある場合、前記第１の液体流は近傍にある、方法。
（実施態様３９）電解試薬濃縮器装置であって、試薬イオン源チャネルと、対イオン源チャネルと、再生剤濃縮チャネルと、
第１の電荷を有し、かつ、前記第１の電荷とは反対の電荷を有する少なくとも試薬イオンに透過性であるが、前記第１の電荷と同極性を有するイオンに透過性でなく、液体のバルクフローを許容せず、前記再生剤濃縮チャネルから前記試薬イオン源チャネルを分離する、第１のイオン交換バリアと、
第２の電荷を有し、かつ、前記第２の電荷とは反対の電荷を有する少なくとも電解生成対イオンに透過性であるが、前記第２の電荷と同極性を有するイオンに透過性でなく、液体のバルクフローを許容せず、前記再生濃縮チャネルから前記対イオン源チャネルを分離する、第２のイオン交換バリアと、
前記試薬イオン源チャネルと電気通信する電極と、
前記対イオン源チャネルと電気通信する対電極と、
液体を第１の流量で前記再生剤濃縮チャネル内に圧送するように構成された第１のポンプと、
液体を第２の流量で前記試薬イオン源チャネル内に圧送するように構成された第２のポンプであって、前記第１の流量は前記第２の流量未満である、第２のポンプと、を備える、装置。